(57)【要約】【課題】プロテクターの内部領域のどこにボールが当たっても、ボールを前方ないし下方へ落下させて、キャッチャーが容易にボールを拾うことができるプロテクターを提供する。【解決手段】プロテクター本体３と、プロテクター本体３を身体に装着する保持部材４とを、備えたプロテクターに於て、プロテクター本体３は、表て面側の第１積層体１と、裏面側の第２積層体とを、重ね合せ状として外周端縁５を相互に縫着する。かつ、第２積層体は、第１積層体１の裏面に当接する面に複数の突隆部が形成されている。第１積層体１の表て面８は、凹凸を有さない平滑面状とする。【選択図】図１
2018134291.tif 000002
【特許請求の範囲】
【請求項１】
プロテクター本体（３）と、該プロテクター本体（３）を身体に装着する保持部材（４）とを、備えたプロテクターに於て、
上記プロテクター本体（３）は、表て面側の第１積層体（１）と、裏面側の第２積層体（２）とを、重ね合せ状として外周端縁（５）を相互に縫着し、
かつ、上記第２積層体（２）は、上記第１積層体（１）の裏面に当接する面（６）に複数の突隆部（７）が形成されていると共に、上記第１積層体（１）の表て面（８）は、凹凸を有さない平滑面状としたことを特徴とするプロテクター。
【請求項２】
上記第１積層体（１）は、表皮（９）と低反発発泡材（10）とが積層して一体化され、
上記第２積層体（２）の上記突隆部（７）は、内部に、少なくとも低反発発泡材（11）と衝撃吸収材（13）とを有している請求項１記載のプロテクター。
【請求項３】
上記第２積層体（２）の上記突隆部（７）相互間の凹溝（17）内に存在するエアーは、上記第１積層体（１）にて半密封状に閉じ込められて、ボール衝突時の緩衝機能を発揮するよう構成した請求項２記載のプロテクター。
【請求項４】
上記第１積層体（１）と第２積層体（２）とは、外周端縁（５）のみが相互に縫着されており、内部領域（Ｚ）では、縫着も接着もされていない非固着状態である請求項１，２又は３記載のプロテクター。
【発明の詳細な説明】
【技術分野】
【０００１】
本発明は、野球やソフトボールのキャッチャーが着用するプロテクターに関する。
【背景技術】
【０００２】
一般に、野球やソフトボールのキャッチャーが着用するプロテクターは、ボールが当たった衝撃を吸収・緩和するために、表て面に複数の突隆部を有する（例えば、特許文献１参照）。
【０００３】
しかし、図５に示すように、突隆部ａの外縁角部ｅに（矢印Ｖ3 方向に）ボールが当たると、ボールが前方や下方へ落下せず、思わぬ方向へ（矢印Ｖ4 方向へ）跳ね飛ばされるという欠点があった。
【先行技術文献】
【特許文献】
【０００４】
【特許文献１】特開２０１２−１６５２８号公報
【発明の概要】
【発明が解決しようとする課題】
【０００５】
解決しようとする課題は、突隆部の外縁部にボールが当たると、ボールが前方や下方へ落下せず、思わぬ方向へ跳ね飛ばされる点である。
【課題を解決するための手段】
【０００６】
そこで、本発明に係るプロテクターは、プロテクター本体と、該プロテクター本体を身体に装着する保持部材とを、備えたプロテクターに於て、上記プロテクター本体は、表て面側の第１積層体と、裏面側の第２積層体とを、重ね合せ状として外周端縁を相互に縫着し、かつ、上記第２積層体は、上記第１積層体の裏面に当接する面に複数の突隆部が形成されていると共に、上記第１積層体の表て面は、凹凸を有さない平滑面状としたものである。
【０００７】
また、上記第１積層体は、表皮と低反発発泡材とが積層して一体化され、上記第２積層体の上記突隆部は、内部に、少なくとも低反発発泡材と衝撃吸収材とを有しているものである。
また、上記第２積層体の上記突隆部相互間の凹溝内に存在するエアーは、上記第１積層体にて半密封状に閉じ込められて、ボール衝突時の緩衝機能を発揮するよう構成したものである。
【０００８】
また、上記第１積層体と第２積層体とは、外周端縁のみが相互に縫着されており、内部領域では、縫着も接着もされていない非固着状態である。
【発明の効果】
【０００９】
本発明のプロテクターによれば、ボールが思わぬ方向へ反発してしまうことがない。即ち、プロテクターの内部領域のどこにボールが当たっても、ボールが常に予測通りの方向（前方）へ落下して、キャッチャーが容易にボールを拾うことができる。
【図面の簡単な説明】
【００１０】
【図１】本発明の実施の一形態を示す正面図である。
【図２】組付前の構成部材の正面図であって、（Ａ）は第１積層体を示す正面図、（Ｂ）は第２積層体を示す正面図である。
【図３】プロテクター本体を示す図であって、（Ａ）は要部拡大断面図、（Ｂ）は図１のＹ−Ｙ拡大端面図である。
【図４】作用説明図である。
【図５】従来例の作用説明図である。
【発明を実施するための形態】
【００１１】
以下、図示の実施の形態に基づいて本発明を詳説する。
図１は、本発明の実施の一形態を示す。プロテクター本体３と、プロテクター本体３を身体に装着する保持部材４とを、備える。図例では、保持部材４は肩に掛ける形状・構造であるが、これ以外にベルト構造等がある。プロテクター本体３は、図２（Ａ）に示す表て面側の第１積層体１と、図２（Ｂ）に示す裏面側の第２積層体２とを、重ね合せ状として外周端縁５を相互に縫着する。第１積層体１と第２積層体２とは、外周端縁５のみが相互に縫着されており、内部領域Ｚでは、縫着も接着もされていない非固着状態とするのが望ましい。第２積層体２は、第１積層体１の裏面に当接する面６に複数の突隆部７が形成されている。図１に示すように、第１積層体１の表て面８は、上記突隆部７が省略され、凹凸が無い平滑面状である。
【００１２】
図３（Ａ）に示すように、第１積層体１は、表皮９と低反発発泡材10とが積層して（例えば接着により）一体化される。表皮９は、例えば、人工皮革、合成皮革、生地、ポリエステル、ナイロンから成る。低反発発泡材10は、例えば、発泡ポリウレタンから成る。第２積層体２の突隆部７は、内部に、少なくとも低反発発泡材11と衝撃吸収材13とを有している。具体的には、表て面側から順に、低反発発泡材11、発泡材12、衝撃吸収材13が、積層され、被覆シート材14にて被覆されて、被覆シート材14がベース体15に縫着されている。低反発発泡材11は、例えば、低反発ポリウレタン発泡材から成る。発泡材12は、例えば、ポリウレタン発泡材から成る。衝撃吸収材13は、例えば、発泡ウレタンから成る。各発泡材の圧縮率を大きくすることにより、衝撃吸収力を大きくすることができる。低反発発泡材11、発泡材12、衝撃吸収材13、ベース体15が相互に接触する面は、接着により一体化されている。
【００１３】
図３（Ｂ）に示すように、外周端縁５に於て、第１積層体１と第２積層体２が、縁取帯部材16にて挟持状に、縫着Ｘされる。第２積層体２の突隆部７相互間の凹溝17（図２（Ｂ），図３（Ａ）参照）内に存在するエアーは、第１積層体１にて半密封状に閉じ込められて、ボール衝突時の緩衝機能を発揮するよう構成される。「半密封状」とは、縫着部Ｘ1 等からエアーが少しは漏れるので完全な密封ではないが、ボール衝突時には、密封されているのと同様の緩衝機能を発揮する程度の密封状態を言う。
【００１４】
次に、ボールが当たった際の作用について説明する。キャッチャーがボールを受け損ねてボールがプロテクター本体３に当った際、第１積層体１の表て面８が平滑面状なので、図４に示すように、突隆部７の角部に対応する位置に矢印Ｖ1 のようにボールが当たっても、矢印Ｖ2 に示すように、キャッチャーの予測通りに常に反発し、キャッチャーがボールを容易に拾うことができる。
【００１５】
なお、本発明は、設計変更可能であって、例えば、突隆部７の形状は、図２（Ｂ）に示したもの以外の種々の形状であっても良い。
【００１６】
以上のように、本発明は、プロテクター本体３と、該プロテクター本体３を身体に装着する保持部材４とを、備えたプロテクターに於て、上記プロテクター本体３は、表て面側の第１積層体１と、裏面側の第２積層体２とを、重ね合せ状として外周端縁５を相互に縫着し、かつ、上記第２積層体２は、上記第１積層体１の裏面に当接する面６に複数の突隆部７が形成されていると共に、上記第１積層体１の表て面８は、凹凸を有さない平滑面状としたので、プロテクターの内部領域Ｚのどこにボールが当たっても、ボールが常に予測通りの方向（前方）へ落下して、キャッチャーが容易にボールを拾うことができる。
【００１７】
また、上記第１積層体１は、表皮９と低反発発泡材10とが積層して一体化され、上記第２積層体２の上記突隆部７は、内部に、少なくとも低反発発泡材11と衝撃吸収材13とを有しているので、高速のボールが当たっても、ボールのエネルギーを吸収して、ポトンと前方へボールを落下させることができる。また、高速のボールが当たっても、身体に与える衝撃を小さくすることができる。
【００１８】
また、上記第２積層体２の上記突隆部７相互間の凹溝17内に存在するエアーは、上記第１積層体１にて半密封状に閉じ込められて、ボール衝突時の緩衝機能を発揮するよう構成したので、突隆部７等の緩衝機能を強化でき、プロテクターで跳ね返ったボールは、キャッチャーの前方下方の近傍に落ちてボールの処理を迅速に行ない得る。
【００１９】
また、上記第１積層体１と第２積層体２とは、外周端縁５のみが相互に縫着されており、内部領域Ｚでは、縫着も接着もされていない非固着状態であるので、ボールは常に安定して予測した方向にポトンと落ちる。
【符号の説明】
【００２０】
１  第１積層体
２  第２積層体
３  プロテクター本体
４  保持部材
５  外周端縁
６  面
７  突隆部
８  表て面
９  表皮
10  低反発発泡材
11  低反発発泡材
13  衝撃吸収材
Ｚ  内部領域
【図１】
2018134291.tif 000003
【図２】
2018134291.tif 000004
【図３】
2018134291.tif 000005
【図４】
2018134291.tif 000006
【図５】
2018134291.tif 000007
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
プロテクター本体（３）と、該プロテクター本体（３）を身体に装着する保持部材（４）とを、備えた野球・ソフトボールのキャッチャー着用のプロテクターに於て、
上記プロテクター本体（３）は、表て面側の第１積層体（１）と、裏面側の第２積層体（２）とを、重ね合せ状として外周端縁（５）を相互に縫着し、
かつ、上記第２積層体（２）は、上記第１積層体（１）の裏面に当接する面（６）に複数の突隆部（７）が形成されていると共に、上記第１積層体（１）の表て面（８）は、凹凸を有さない平滑面状とし、
さらに、上記第１積層体（１）は、表皮（９）と低反発発泡材（10）とが積層して一体化され、
上記第２積層体（２）の上記突隆部（７）は、内部に、少なくとも低反発発泡材（11）と衝撃吸収材（13）とを有していることを特徴とするプロテクター。
【請求項２】
プロテクター本体（３）と、該プロテクター本体（３）を身体に装着する保持部材（４）とを、備えた野球・ソフトボールのキャッチャー着用のプロテクターに於て、
上記プロテクター本体（３）は、表て面側の第１積層体（１）と、裏面側の第２積層体（２）とを、重ね合せ状として外周端縁（５）を相互に縫着し、
かつ、上記第２積層体（２）は、上記第１積層体（１）の裏面に当接する面（６）に複数の突隆部（７）が形成されていると共に、該突隆部（７）の内部は中実であって、上記第１積層体（１）の表て面（８）は、凹凸を有さない平滑面状とし、上記第２積層体（２）の上記突隆部（７）相互間の凹溝（17）内に存在するエアーは、上記第１積層体（１）にて半密封状に閉じ込められて、ボール衝突時の緩衝機能を発揮するよう構成したことを特徴とするプロテクター。
【請求項３】
上記第１積層体（１）と第２積層体（２）とは、外周端縁（５）のみが相互に縫着されており、内部領域（Ｚ）では、縫着も接着もされていない非固着状態である請求項１又は２記載のプロテクター。
【手続補正２】
【補正対象書類名】明細書
【補正対象項目名】全文
【補正方法】変更
【補正の内容】
【発明の詳細な説明】
【技術分野】
【０００１】
本発明は、野球やソフトボールのキャッチャーが着用するプロテクターに関する。
【背景技術】
【０００２】
一般に、野球やソフトボールのキャッチャーが着用するプロテクターは、ボールが当たった衝撃を吸収・緩和するために、表て面に複数の突隆部を有する（例えば、特許文献１参照）。
【０００３】
しかし、図５に示すように、突隆部ａの外縁角部ｅに（矢印Ｖ3 方向に）ボールが当たると、ボールが前方や下方へ落下せず、思わぬ方向へ（矢印Ｖ4 方向へ）跳ね飛ばされるという欠点があった。
【先行技術文献】
【特許文献】
【０００４】
【特許文献１】特開２０１２−１６５２８号公報
【発明の概要】
【発明が解決しようとする課題】
【０００５】
解決しようとする課題は、突隆部の外縁部にボールが当たると、ボールが前方や下方へ落下せず、思わぬ方向へ跳ね飛ばされる点である。
【課題を解決するための手段】
【０００６】
そこで、本発明に係るプロテクターは、プロテクター本体と、該プロテクター本体を身体に装着する保持部材とを、備えた野球・ソフトボールのキャッチャー着用のプロテクターに於て、上記プロテクター本体は、表て面側の第１積層体と、裏面側の第２積層体とを、重ね合せ状として外周端縁を相互に縫着し、かつ、上記第２積層体は、上記第１積層体の裏面に当接する面に複数の突隆部が形成されていると共に、上記第１積層体の表て面は、凹凸を有さない平滑面状とし、さらに、上記第１積層体は、表皮と低反発発泡材とが積層して一体化され、上記第２積層体の上記突隆部は、内部に、少なくとも低反発発泡材と衝撃吸収材とを有しているものである。
【０００７】
また、プロテクター本体と、該プロテクター本体を身体に装着する保持部材とを、備えた野球・ソフトボールのキャッチャー着用のプロテクターに於て、上記プロテクター本体は、表て面側の第１積層体と、裏面側の第２積層体とを、重ね合せ状として外周端縁を相互に縫着し、かつ、上記第２積層体は、上記第１積層体の裏面に当接する面に複数の突隆部が形成されていると共に、該突隆部の内部は中実であって、上記第１積層体の表て面は、凹凸を有さない平滑面状とし、上記第２積層体の上記突隆部相互間の凹溝内に存在するエアーは、上記第１積層体にて半密封状に閉じ込められて、ボール衝突時の緩衝機能を発揮するよう構成したものである。
【０００８】
また、上記第１積層体と第２積層体とは、外周端縁のみが相互に縫着されており、内部領域では、縫着も接着もされていない非固着状態である。
【発明の効果】
【０００９】
本発明のプロテクターによれば、ボールが思わぬ方向へ反発してしまうことがない。即ち、プロテクターの内部領域のどこにボールが当たっても、ボールが常に予測通りの方向（前方）へ落下して、キャッチャーが容易にボールを拾うことができる。
【図面の簡単な説明】
【００１０】
【図１】本発明の実施の一形態を示す正面図である。
【図２】組付前の構成部材の正面図であって、（Ａ）は第１積層体を示す正面図、（Ｂ）は第２積層体を示す正面図である。
【図３】プロテクター本体を示す図であって、（Ａ）は要部拡大断面図、（Ｂ）は図１のＹ−Ｙ拡大端面図である。
【図４】作用説明図である。
【図５】従来例の作用説明図である。
【発明を実施するための形態】
【００１１】
以下、図示の実施の形態に基づいて本発明を詳説する。
図１は、本発明の実施の一形態を示す。プロテクター本体３と、プロテクター本体３を身体に装着する保持部材４とを、備える。図例では、保持部材４は肩に掛ける形状・構造であるが、これ以外にベルト構造等がある。プロテクター本体３は、図２（Ａ）に示す表て面側の第１積層体１と、図２（Ｂ）に示す裏面側の第２積層体２とを、重ね合せ状として外周端縁５を相互に縫着する。第１積層体１と第２積層体２とは、外周端縁５のみが相互に縫着されており、内部領域Ｚでは、縫着も接着もされていない非固着状態とするのが望ましい。第２積層体２は、第１積層体１の裏面に当接する面６に複数の突隆部７が形成されている。図１に示すように、第１積層体１の表て面８は、上記突隆部７が省略され、凹凸が無い平滑面状である。
【００１２】
図３（Ａ）に示すように、第１積層体１は、表皮９と低反発発泡材10とが積層して（例えば接着により）一体化される。表皮９は、例えば、人工皮革、合成皮革、生地、ポリエステル、ナイロンから成る。低反発発泡材10は、例えば、発泡ポリウレタンから成る。第２積層体２の突隆部７は、内部に、少なくとも低反発発泡材11と衝撃吸収材13とを有している。具体的には、表て面側から順に、低反発発泡材11、発泡材12、衝撃吸収材13が、積層され、被覆シート材14にて被覆されて、被覆シート材14がベース体15に縫着されている。低反発発泡材11は、例えば、低反発ポリウレタン発泡材から成る。発泡材12は、例えば、ポリウレタン発泡材から成る。衝撃吸収材13は、例えば、発泡ウレタンから成る。各発泡材の圧縮率を大きくすることにより、衝撃吸収力を大きくすることができる。低反発発泡材11、発泡材12、衝撃吸収材13、ベース体15が相互に接触する面は、接着により一体化されている。
【００１３】
図３（Ｂ）に示すように、外周端縁５に於て、第１積層体１と第２積層体２が、縁取帯部材16にて挟持状に、縫着Ｘされる。第２積層体２の突隆部７相互間の凹溝17（図２（Ｂ），図３（Ａ）参照）内に存在するエアーは、第１積層体１にて半密封状に閉じ込められて、ボール衝突時の緩衝機能を発揮するよう構成される。「半密封状」とは、縫着部Ｘ1 等からエアーが少しは漏れるので完全な密封ではないが、ボール衝突時には、密封されているのと同様の緩衝機能を発揮する程度の密封状態を言う。
【００１４】
次に、ボールが当たった際の作用について説明する。キャッチャーがボールを受け損ねてボールがプロテクター本体３に当った際、第１積層体１の表て面８が平滑面状なので、図４に示すように、突隆部７の角部に対応する位置に矢印Ｖ1 のようにボールが当たっても、矢印Ｖ2 に示すように、キャッチャーの予測通りに常に反発し、キャッチャーがボールを容易に拾うことができる。
【００１５】
なお、本発明は、設計変更可能であって、例えば、突隆部７の形状は、図２（Ｂ）に示したもの以外の種々の形状であっても良い。
【００１６】
以上のように、本発明は、プロテクター本体３と、該プロテクター本体３を身体に装着する保持部材４とを、備えたプロテクターに於て、上記プロテクター本体３は、表て面側の第１積層体１と、裏面側の第２積層体２とを、重ね合せ状として外周端縁５を相互に縫着し、かつ、上記第２積層体２は、上記第１積層体１の裏面に当接する面６に複数の突隆部７が形成されていると共に、上記第１積層体１の表て面８は、凹凸を有さない平滑面状としたので、プロテクターの内部領域Ｚのどこにボールが当たっても、ボールが常に予測通りの方向（前方）へ落下して、キャッチャーが容易にボールを拾うことができる。
【００１７】
また、上記第１積層体１は、表皮９と低反発発泡材10とが積層して一体化され、上記第２積層体２の上記突隆部７は、内部に、少なくとも低反発発泡材11と衝撃吸収材13とを有しているので、高速のボールが当たっても、ボールのエネルギーを吸収して、ポトンと前方へボールを落下させることができる。また、高速のボールが当たっても、身体に与える衝撃を小さくすることができる。
【００１８】
また、上記第２積層体２の上記突隆部７相互間の凹溝17内に存在するエアーは、上記第１積層体１にて半密封状に閉じ込められて、ボール衝突時の緩衝機能を発揮するよう構成したので、突隆部７等の緩衝機能を強化でき、プロテクターで跳ね返ったボールは、キャッチャーの前方下方の近傍に落ちてボールの処理を迅速に行ない得る。
【００１９】
また、上記第１積層体１と第２積層体２とは、外周端縁５のみが相互に縫着されており、内部領域Ｚでは、縫着も接着もされていない非固着状態であるので、ボールは常に安定して予測した方向にポトンと落ちる。
【符号の説明】
【００２０】
１  第１積層体
２  第２積層体
３  プロテクター本体
４  保持部材
５  外周端縁
６  面
７  突隆部
８  表て面
９  表皮
10  低反発発泡材
11  低反発発泡材
13  衝撃吸収材
Ｚ  内部領域